(57)【特許請求の範囲】
【請求項１】
上下動する三本の針と、生地積載面上で水平に揺動するスプレッダとをミシンアームに具備し、飾り糸を縫目の上面に供給して飾り模様を縫い付けるように構成してなる複数針偏平縫いミシンにおいて、
ミシンアームに固定されスプレッダ上方で第１長孔および第２長孔を並設した固定糸案内と、
スプレッダに並設され飾り糸に係合する二つの鉤部とを備えたことを特徴とする複数針偏平縫いミシン。
【請求項２】
所定の間隔を置いて配された三本の針糸、そして一本のルーパ糸および飾り糸を備え、
針糸のループが布表面側に既に渡っている飾り糸の飾りループと布、さらにルーパ糸の三つに分かれたループとを通り抜けてルーパ糸の他の一つのループと他糸ルーピングする飾り縫目において、
一方の飾り糸の飾りループが布表面側で各針糸ループに挿通され、他方の飾り糸の飾りループが布表面側で中央の針糸ループと右側の針糸ループに挿通されていることを特徴とする、請求項１記載の複数針偏平縫いミシンで形成される飾り縫目。
【発明の詳細な説明】
【技術分野】
【０００１】
本発明は、布地の表面に装飾性を持たせるよう構成される複数針偏平縫いミシンとそのミシンによって形成される飾り縫目に関する。
【背景技術】
【０００２】
従来の複数針偏平縫いミシンとして、上下動する針と、生地積載面上で水平に揺動するスプレッダとをミシンアームに有するものが知られている（例えば、特許文献１を参照。）。
【０００３】
【特許文献１】実開平６−４６６７８号公報（第２頁、第１図）
【０００４】
また上記特許文献１のミシンによって形成される飾り縫目の一例として、三本の針糸、一本のルーパ糸および飾り糸を備えたものが知られている（例えば、非特許文献１の「表示記号６０５のステッチ」を参照。）。図４に示されるように、三本の針糸１，２，３は布の針側（布表面側）で所定の間隔を置いて配されている。各針糸のループ１Ｌ，２Ｌ，３Ｌは飾り糸Ｚの飾りループと布、さらにルーパ糸４の三つに分かれたループ４ａ，４ｂ，４ｃを通り抜けてルーパ糸４の他の一つのループ４ｅと他糸ルーピングしている。なおルーパ糸４は布の裏面側に配される。
【０００５】
【非特許文献１】「ＪＩＳステッチ形式の分類と表示記号  ＪＩＳ  Ｌ  ０１２０−１９８４」、昭和５９年７月１日  制定、日本規格協会  発行、ｐ．２４−２５
【発明の開示】
【発明が解決しようとする課題】
【０００６】
ところが、上記飾り縫目に関しては縫製品のデザインの一部として近年需要が高まってくると共により装飾性に富む飾り縫目が要望され、多種の飾り縫目を形成できる複数針偏平縫いミシンの出現が待望されていた。また表示記号６０５のステッチにおいては、布表面側を遠隔して眺めると飾り糸の飾りループの影響で縫目ラインの横幅しか把握することができず、非特許文献１の「表示記号６０２のステッチ」と誤認してしまうことがあった。つまり飾り縫目が三本針のミシンで形成されたものなのか或いは二本針のミシンで形成されたものなのかを見誤ってしまうことがあった。
従って、本発明の課題は、装飾性に富む新規な縫い目も形成できる複数針偏平縫いミシンを提供することを第１の目的とし、三本の針糸が布表面側で所定の間隔を置いて配されているのを容易に確認することができる飾り縫目の提供も併せて目指している。
【課題を解決するための手段】
【０００７】
本発明は、上記目的を達成するために、上下動する三本の針と、生地積載面上で水平に揺動するスプレッダとをミシンアームに具備し、飾り糸を縫目の上面に供給して飾り模様を縫い付けるように構成してなる複数針偏平縫いミシンにおいて、ミシンアームに固定されスプレッダ上方で第１長孔および第２長孔を並設した固定糸案内と、スプレッダに並設され飾り糸に係合する二つの鉤部とを備えたことを特徴とする。
【０００８】
また所定の間隔を置いて配された三本の針糸、そして一本のルーパ糸および二本の飾り糸を備え、針糸のループが布表面側に既に渡っている飾り糸の飾りループと布、さらにルーパ糸の三つに分かれたループとを通り抜けてルーパ糸の他の一つのループと他糸ルーピングする飾り縫目において、一方の飾り糸の飾りループが布表面側で各針糸ループに挿通され、他方の飾り糸の飾りループが布表面側で中央の針糸ループと右側の針糸ループに挿通されていることを特徴とする。
【発明の効果】
【０００９】
本願請求項１に係る発明によれば、第１長孔および第２長孔を並設した固定糸案内と、スプレッダに並設される二つの鉤部とを備えているので、二本の飾り糸を縫目の上面に供給することができる。また針の上下動に伴うスプレッダの水平揺動によって、一方の飾り糸の飾りループを布表面側で各針糸ループに挿通し、他方の飾り糸の飾りループを布表面側で中央の針糸ループと右側の針糸ループに挿通することができ、装飾性に富む新規な縫い目を形成できる。
【００１０】
本願請求項２に係る発明によれば、一方の飾り糸の飾りループが布表面側で各針糸ループに挿通され、他方の飾り糸の飾りループが布表面側で中央の針糸ループと右側の針糸ループに挿通されているので、布表面側を遠隔して眺めた場合においても三本の針糸が布表面側で所定の間隔を置いて配されているのを容易に確認することができ、その結果、対象となる飾り縫目が三本針のミシンで形成されたものなのか否かを確認できる。
【発明を実施するための最良の形態】
【００１１】
以下、本発明の実施の形態を図面を基づいて説明する。図１に示されるように、本発明に係る飾り縫いミシンはモータに連結された下軸１０を有する。ミシンアームＭＡより下方に突出する針棒１１は下端に針株１２を有し、針糸用の針１３，１４，１５と飾り糸用の可動糸案内１６は針株１２に取着されている。可動糸案内１６は中途で手前に折れ曲がって「く」字状になっており、その下端部は飾り糸挿通用の目孔を有している。スプレッダ１７はミシンアームＭＡより下方に突出する揺動軸（図示せず）に固定されており、その先端は二つの鉤部１７ａ、１７ｂを備えている。固定糸案内１８はミシンアームＭＡに固定され、その下端は第１長孔１８ａと第２長孔１８ｂを備えている。
【００１２】
モータの動作に伴って下軸１０が回転すると、針株１２に取着された針１３，１４，１５は針棒１１と共に上下に往復運動する。その際、スプレッダ１７は水平に揺動するこことなる。スプレッダ１７がミシンベッドＭＢの生地積載面上で左方に揺動すると、先端側の鉤部１７ａは飾り糸５を捕捉し、中途の鉤部１７ｂは飾り糸６を捕捉する。なお図示していないが針糸１，２，３は針１３，１４，１５に各別に挿通されており、ミシンベッドＭＢ内は下軸１０の回転に連動して進退するルーパを備えている。
【００１３】
その後、上死点を経て降下する左針１３は固定糸案内１８の第１長孔１８ａからスプレッダー鉤部１７ａに至る飾り糸５の後方を通過する。この時、左針１３と同様に降下する中針１４は固定糸案内１８の第１長孔１８ａからスプレッダー鉤部１７ａに至る飾り糸５および固定糸案内１８の第２長孔１８ｂからスプレッダー鉤部１７ｂに至る飾り糸６の後方を通過する。なお右針１５は降下時に固定糸案内１８の第１長孔１８ａからスプレッダー鉤部１７ａに至る飾り糸５および固定糸案内１８の第２長孔１８ｂからスプレッダー鉤部１７ｂに至る飾り糸６の手前を通過することとなる。図２に示されるように、布Ｗは押え金１９によってミシンベッドＭＢの生地積載面に押圧され、針１３，１４，１５の先端部は降下途中で布Ｗを上方より貫通する。
【００１４】
本発明に係る飾り縫いミシンによって形成される飾り縫目は三本の針糸１，２，３、一本のルーパ糸４および二本の飾り糸５，６を備えている。三本の針糸１，２，３は布Ｗの表面側で所定の間隔を置いて配されている。各針糸のループ１Ｌ，２Ｌ，３Ｌは飾り糸５，６の飾りループと布Ｗ、さらにルーパ糸４の三つに分かれたループ４ａ，４ｂ，４ｃを通り抜けてルーパ糸４の他の一つのループ４ｅと他糸ルーピングしている。なおルーパ糸４は布Ｗの裏面側に配される。
【００１５】
各飾り糸５，６について詳述すると飾り糸５は図３に示されるように、布Ｗの表面側で水平に渡る飾りループ５ａ，５ｂを左右に形成している。左方の飾り糸ループ５ａは左側および中央の針糸ループ１Ｌ，２Ｌに挿通され、右方の飾り糸ループ５ｂは右側の針糸ループ３Ｌに挿通されている。また飾り糸６も布Ｗの表面側で水平に渡る飾りループ６ａ，６ｂを左右に形成している。左方の飾り糸ループ６ａは中央の針糸ループ２Ｌに挿通され、右方の飾り糸ループ６ｂは右側の針糸ループ３Ｌに挿通されている。つまり一方の飾り糸５の飾りループは布Ｗの表面側で各針糸ループ１Ｌ，２Ｌ，３Ｌに挿通され、他方の飾り糸６の飾りループは布Ｗの表面側で中央の針糸ループ２Ｌと右側の針糸ループ３Ｌに挿通されている。
【００１６】
本実施の形態においては、可動糸案内の目孔は二本の飾り糸に共用されていたが、これに限定されるわけでなく、例えば可動糸案内の形状を逆Ｙ字状にして各下端部に専用の目孔を設けるようにしてもよい。なお本実施の形態においては詳述しなかったが、飾り糸５，６の配色を各別に変更すると装飾性がより富んだものとなる。また本実施の形態で非特許文献１の「表示記号６０５のステッチ」を形成する場合、飾り糸は一本でその糸経路は可動糸案内１６の目孔より固定糸案内１８の第１長孔１８ａを経てスプレッダ１７の鉤部１７ａ傍らに沿わせるようにするとよい。
【図面の簡単な説明】
【００１７】
【図１】本発明に係る飾り縫いミシンを示した正面図である。
【図２】同ミシンの要部を示した説明図である。
【図３】本発明に係る飾り縫目を示した斜視図で、右方の図は布表面を示し、左方の図は布裏面の要部を示している。
【図４】従来の飾り縫目を示した斜視図である。
【符号の説明】
【００１８】
１，２，３                      針糸
１Ｌ，２Ｌ、３Ｌ                針糸のループ
４                              ルーパ糸
５，６                          飾り糸
５ａ，５ｂ，６ａ，６ｂ          飾りループ
１７                            スプレッダ
１８                            固定糸案内
１８ａ，１８ｂ                  長孔
ＭＡ                            ミシンアーム
Ｗ                              布
【図１】
0005547930.tif 000002
【図２】
0005547930.tif 000003
【図３】
0005547930.tif 000004
【図４】
0005547930.tif 000005